(57)【要約】【課題】駅務機器における処理モードの切り替えを効率的に行うことができる駅務機器、およびプログラムを提供することである。【解決手段】実施形態の駅務機器は、光学読取部と、機器側無線通信部と、処理部とを持つ。光学読取部は、媒体に表示された画像から情報を光学的に読み取る。機器側無線通信部は、前記媒体が備える媒体側無線通信部と無線通信を行って、前記媒体から情報を読み取る。処理部は、前記光学読取部により読み取られた情報に基づいて処理モードを切り替えて、前記機器側無線通信部により読み取られた情報に対する処理を行う。【選択図】図５
2018045552.tif 000002
【特許請求の範囲】
【請求項１】
媒体に表示された画像から情報を光学的に読み取る光学読取部と、
前記媒体が備える媒体側無線通信部と無線通信を行って、前記媒体から情報を読み取る機器側無線通信部と、
前記光学読取部により読み取られた情報に基づいて処理モードを切り替えて、前記機器側無線通信部により読み取られた情報に対する処理を行う処理部と、
を備える駅務機器。
【請求項２】
前記処理モードは、前記駅務機器の保守に関する処理モードを含む、
請求項１に記載の駅務機器。
【請求項３】
画像を表示する表示部を更に備え、
前記処理部は、前記処理モードが保守に関する処理モードである場合に、前記機器側無線通信部によって前記媒体との無線通信が可能な状態とし、少なくとも前記機器側無線通信部により得られる情報を、前記表示部に表示させる、
請求項２に記載の駅務機器。
【請求項４】
音声を出力する音声出力部を更に備え、
前記処理部は、前記処理モードが保守に関する処理モードである場合に、前記機器側無線通信部により前記媒体から情報を読み出す命令を含む電波を所定間隔で送信させ、前記機器側無線通信部により前記媒体から前記命令に応答して読み出された情報が受信された場合に、所定の音声を前記音声出力部に出力させる、
請求項２または３に記載の駅務機器。
【請求項５】
音声を出力する音声出力部を更に備え、
前記処理部は、前記処理モードが保守に関する処理モードである場合に、前記機器側無線通信部により前記媒体に情報を書き込む命令を含む電波を所定間隔で送信させ、前記機器側無線通信部により前記媒体から情報の書き込み完了情報が受信された場合に、所定の音声を前記音声出力部に出力させる、
請求項２から４のうち、いずれか１項に記載の駅務機器。
【請求項６】
前記処理モードの切り替えに関する操作を受け付ける操作受付部を更に備え、
前記処理部は、前記操作受付部により受け付けた操作内容に基づいて、前記処理モードを切り替える、
請求項１から５のうち、いずれか１項に記載の駅務機器。
【請求項７】
駅務機器のコンピュータに、
媒体に表示された画像から光学的に読み取った情報に基づいて処理モードを切り替えさせ、
前記切り替えた処理モードで、媒体との無線通信により得られた情報に対する処理を行わせる、
プログラム。
【発明の詳細な説明】
【技術分野】
【０００１】
本発明の実施形態は、駅務機器、およびプログラムに関する。
【背景技術】
【０００２】
従来、乗車券から利用可能な駅区間や日付に関する情報を読み取り、読み取った情報に基づいて、駅構内への入場および駅構外への出場に関する有効性を判定する駅務機器が知られている。駅務機器には、自動改札機や精算機等が含まれる。駅務機器において、例えば保守作業のように通常の処理とは異なる処理、或いは特別なモードに切り替えて処理を行う場合に、駅務機器における処理モードの切り替えが必要になる。しかしながら、従来では、作業者のスイッチ操作等による駅務機器のモードの切り替え作業が必要になるため、切り替え作業に手間がかかる場合があった。また、誰もが処理モードの切り替えを行うことが可能な状態であると、セキュリティ上の問題が生じるため、一目で分かるようなスイッチを設けるのは好ましくない。
【先行技術文献】
【特許文献】
【０００３】
【特許文献１】特開２０１０−２６７２３０号公報
【特許文献２】特開２０１３−６９１０５号公報
【特許文献３】特開２００９−６４１７２号公報
【発明の概要】
【発明が解決しようとする課題】
【０００４】
本発明が解決しようとする課題は、駅務機器における処理モードの切り替えを効率的に行うことができる駅務機器、およびプログラムを提供することである。
【課題を解決するための手段】
【０００５】
実施形態の駅務機器は、光学読取部と、機器側無線通信部と、処理部とを持つ。光学読取部は、媒体に表示された画像から情報を光学的に読み取る。機器側無線通信部は、前記媒体が備える媒体側無線通信部と無線通信を行って、前記媒体から情報を読み取る。処理部は、前記光学読取部により読み取られた情報に基づいて処理モードを切り替えて、前記機器側無線通信部により読み取られた情報に対する処理を行う。
【図面の簡単な説明】
【０００６】
【図１】実施形態の乗車券１００の構成図。
【図２】実施形態の記憶部１２３に書き込まれる情報の一例を示す図。
【図３】実施形態の自動改札機２００の外観構成図。
【図４】リーダライタユニット２１０の構成図。
【図５】実施形態の自動改札機２００の機能構成図。
【図６】実施形態の処理モード切替部３４１の処理内容の一例を示すフローチャート。
【図７】処理モード一覧の一例を示す図。
【図８】第１の保守モードにおける実行処理の一例を示すフローチャート。
【図９】第２の保守モードにおける実行処理の一例を示すフローチャート。
【図１０】保守作業者による通信可能範囲の確認作業の一例を説明するための図。
【図１１】第３の保守モードにおける実行処理の一例を示すフローチャート。
【図１２】実施形態の精算機４００の外観構成図。
【図１３】実施形態の精算機４００の機能構成図。
【発明を実施するための形態】
【０００７】
以下、実施形態の駅務機器、およびプログラムを、図面を参照して説明する。なお、駅務機器の一例としては、自動改札機および精算機がある。駅務機器は、これらの一方を指すものであってもよいし、双方を指すものであってもよい。以下、それぞれの機器について説明する。
【０００８】
［媒体］
まず、実施形態の自動改札機および精算機によって処理される媒体について説明する。媒体には、例えば、乗車券とダミー券とが含まれる。図１は、実施形態の乗車券１００の構成図である。乗車券１００は、例えば、二次元コード１１５が印刷された表示面１１０Ａを有する紙基材１１０と、紙基材１１０に漉き込まれたチップ１２０およびアンテナ１３０とを備える。チップ１２０およびアンテナ１３０は、「媒体側無線通信部」の一例である。
【０００９】
二次元コード１１５は、画像の一例である。二次元コード１１５は、例えばＱＲコード（登録商標）である。二次元コード１１５には、この乗車券１００の効力を示す効力情報を含む情報がエンコードされている。なお、二次元コード１１５には、乗車券１００の識別情報（以下、「コード側乗車券ＩＤ」と称する）がエンコードされていてもよい。
【００１０】
エンコードとは、情報を、符号化、記号化、その他の手法により、人が内容を直接的に認識できない状態に変換することをいう。また、効力情報とは、例えば以下のような情報であり、乗車券１００の利用可能な有効範囲を規定する情報である。なお、二次元コードに代えて、バーコードその他の、情報がエンコードされた任意の種類の画像が印刷されてもよい。
（１）券種、利用可能な区間および日付
例：当日券であり、Ａ駅〜Ｂ駅までの区間を、１２／１〜１２／３１まで利用可能
（２）券種、運賃上限および利用可能な日付
例：当日券であり、利用開始駅から運賃５００円までの区間を、１２／１〜１２／３１まで利用可能
（３）券種、利用開始条件、および利用可能な日付
例：企画券であり、購入から３ヶ月間有効、利用開始から当日限り利用可能
券種は、乗車券１００が発券された時点で区間、運賃上限または日付等が確定されている第１の券種と、乗車券１００が発券された時点では区間、運賃上限または日付等が確定されていない第２の券種とに区分される。
【００１１】
チップ１２０は、例えば、パッシブタイプのＩＣ（Integrated  Circuit）チップであり、ＲＦＩＤ（Radio Frequency Identifier）技術によって、駅務機器側のリーダライタユニット（後述）との間で情報を送受信する。チップ１２０は、例えば、ＲＦ回路１２１、制御回路１２２、記憶部１２３等を備える。チップ１２０による処理は、リーダライタユニットからアンテナ１３０を介して受信したコマンドに応答するコマンドレスポンス方式で行われる。
【００１２】
ＲＦ回路１２１は、リーダライタユニットが発信する電波から駆動用電力を取りだす整流回路、リーダライタユニットが発信する電波に重畳された信号（例えばコマンド）を取りだすデコーダ等を含む。制御回路１２２は、例えば論理回路によって構成される。制御回路１２２は、ＲＦ回路１２１によって取り出されたコマンドの内容に応じて、リーダライタユニットから指示されたデータを記憶部１２３に書き込んだり、記憶部１２３から読み出したデータを、アンテナ１３０を介してリーダライタユニットに送信したりする処理を行う。
【００１３】
記憶部１２３は、例えば、ＥＥＰＲＯＭ（Electrically Erasable Programmable Read-Only Memory）等の読書き可能な不揮発性記憶媒体を含む。記憶部１２３には、乗車券１００の利用記録が、リーダライタユニットによって書き込まれてよい。記憶部１２３には、例えば、二次元コード１１５にエンコードされたコード側乗車券ＩＤと照合可能な情報（以下、「チップ側乗車券ＩＤ」と称する）が、発券段階から記憶されていてもよい。乗車券１００の利用記録とは、例えば、入場駅、入場日時等の情報である。
【００１４】
図２は、実施形態の記憶部１２３に書き込まれる情報の一例を示す図である。なお、チップ側乗車券ＩＤについては、ＲＯＭ（Read Only Memory）等の書き換え不能な不揮発性記憶媒体に書き込まれてもよい。
【００１５】
アンテナ１３０を用いたリーダライタユニットとの通信は、例えば、９００［ＭＨｚ］帯や２．４５［ＧＨｚ］帯等のＵＨＦ（Ultra-High Frequency）帯を用いて行われる。また、この通信は、１３.５６［ＭＨｚ］を用いて行われてもよい。
【００１６】
一方、ダミー券とは、乗車券１００と同等のハードウェア構成を有し、更に、処理モード指示情報が二次元コード１１５にエンコードされたものである。ダミー券は、駅務機器に対して、実施形態における処理モードの切り替えおよび各処理モードにおける駅務機器の動作確認を行うための媒体である。また、ダミー券の二次元コード１１５には、効力情報および識別情報等の情報が含まれていない。ただし、処理モードの種類によっては、ダミー券の二次元コード１１５に、効力情報および識別情報等の情報が含まれていてもよい。また、ダミー券は、一つの媒体ではなく、二次元コード１１５がエンコードされた第１の媒体と、媒体側無線通信部を備える第２の媒体とのペアであってもよい。
【００１７】
処理モード指示情報とは、自動改札機または精算機が実行する処理モードを指示するための情報である。処理モード指示情報は、利用者の入出場を管理する処理モードや保守に関する処理モードを指示する「０１」、「０２」、…等を含む。これらの意義については、自動改札機や精算機の機能を参照しながら説明する。
【００１８】
［自動改札機］
次に、実施形態における自動改札機２００について説明する。図３は、実施形態の自動改札機２００の外観構成図である。自動改札機２００は、図中Ａ方向への利用者の通過を制御する。自動改札機２００は、例えば、上述したリーダライタユニット２１０、表示部２２０、音声出力部２３０、扉部２４０等を備える。なお、図示を省略したが、自動改札機２００は、交通系のＩＣカードとの無線通信を行うリーダライタを設けてもよく、磁気券を処理可能な構成を有していてもよい。
【００１９】
図４は、リーダライタユニット２１０の構成図である。リーダライタユニット２１０は、例えば、アンテナ２１１、通信制御部２１２、カメラ２１３、複数のライト２１４、タイミング制御部２１５等を備える。リーダライタユニット２１０は、上述した媒体（乗車券１００またはダミー券）に給電するとともに、媒体と無線通信を行う。カメラ２１３と後述する画像処理部３３０とを合わせたものは、「光学読取部」の一例である。アンテナ２１１および通信制御部２１２は、「機器側無線通信部」の一例である。
【００２０】
アンテナ２１１は、例えば、カメラ２１３の光軸２３０Ａを囲むように巻き回される。なお、リーダライタユニット２１０のアンテナ２１１がカメラ２１３の光軸２３０Ａを囲むように巻き回されることは、あくまで一例であり、これに限定されない。
【００２１】
通信制御部２１２は、アンテナ２１１を用いて媒体のチップ１２０から情報を読み取る命令（例えば読取コマンド）を含む電波を送信することで、媒体から、チップ側乗車券ＩＤや利用記録、自動改札機２００における処理モード指示情報等の情報を取得し、取得した情報を自動改札機２００の制御部（後述）に出力する。また、通信制御部２１２は、アンテナ２１１を用いて媒体のチップ１２０に情報を書き込む命令（例えば書込コマンド）を含む電波を媒体に送信する。上述の書き込む命令には、自動改札機２００の制御部から指示された情報が含まれる。これにより、媒体の記憶部１２３には、自動改札機２００の制御部から指示された情報が書き込まれる。
【００２２】
リーダライタユニット２１０のカメラ２１３は、利用者によって翳された媒体に付された画像（例えば、二次元コード１１５）を撮像する。ライト２１４は、カメラ２１３が撮像動作を行う際に、媒体に光を照射する。
【００２３】
カメラ２１３により撮像された画像は、例えば自動改札機２００の制御部に出力される。カメラ２１３は、可視光を撮像するカメラであってもよいし、赤外光を撮像するカメラであってもよい。なお、カメラ２１３に代えて、バーコードリーダのように受光素子と増幅器等を備えてもよい。
【００２４】
リーダライタユニット２１０は、アンテナ２１１を用いた通信と、カメラ２１３を用いた撮像とを、ほぼ同じタイミングで（同期して）行ってもよい。このタイミング同期は、タイミング制御部２１５によって制御される。タイミング制御部２１５は、例えば、通信制御部２１２がポーリングのための電波をアンテナ２１１に送信させ、これに対する応答（レスポンス）を受信したときに、カメラ２１３を作動させて撮像を行わせる。なお、タイミング制御部２１５の機能は、通信制御部２１２またはカメラ２１３に内蔵されてもよいし、自動改札機２００側の機能であってもよい。
【００２５】
表示部２２０は、例えば、ＬＣＤ（Liquid Crystal Display）や有機ＥＬ（Electro Luminescence）表示装置等である。表示部２２０は、自動改札機２００の処理モードに基づいて、媒体から得られる情報を表示する。また、表示部２２０は、利用者の通過の可否に応じた画像を表示する。
【００２６】
音声出力部２３０は、例えば、スピーカである。音声出力部２３０は、自動改札機２００の処理モードに対応する音声等を出力する。また、音声出力部２３０は、駅構内への入場または駅構外への出場に対する利用者の通過が拒否される場合に、警報や利用者に対する指示内容等を音声出力する。
【００２７】
扉部２４０は、リーダライタユニット２１０により読み取られた情報によって、駅構内への入場または駅構外への出場を許可するか否かを判定した結果に基づいて、開閉駆動を行い、自動改札機２００の通路を開放状態にしたり、閉止状態にしたりする。これにより、利用者の通行を許可したり、禁止したりすることができる。
【００２８】
図５は、実施形態の自動改札機２００の機能構成図である。自動改札機２００は、例えば、前述したリーダライタユニット２１０、制御部３００、表示部２２０、音声出力部２３０、扉部２４０、操作受付部３５０等を備える。
【００２９】
制御部３００は、例えば、デコード部３１０、エンコード部３２０、画像処理部３３０、処理部３４０等を備える。これらの機能部は、例えばＣＰＵ（Central Processing Unit）等のプロセッサがプログラムメモリに格納されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。また、デコード部３１０およびエンコード部３２０と、画像処理部３３０とのうち一方または双方は、リーダライタユニット２１０の内蔵コンピュータにより実現される機能であってもよい。
【００３０】
デコード部３１０は、リーダライタユニット２１０が媒体のチップ１２０から読み取った情報をデコードし、デコードされた情報を処理部３４０に出力する。
【００３１】
エンコード部３２０は、処理部３４０により指示された情報をエンコードし、リーダライタユニット２１０に出力する。リーダライタユニット２１０は、エンコード部３２０から入力された情報を媒体のチップ１２０に書き込む。
【００３２】
画像処理部３３０は、リーダライタユニット２１０のカメラ２１３によって撮像された画像を解析し、媒体の二次元コード１１５にエンコードされた情報を解読し、解読した情報（例えば、効力情報、コード側乗車券ＩＤ、および処理モード指示情報）を処理部３４０に出力する。
【００３３】
処理部３４０は、例えば、処理モード切替部３４１、照合部３４２、媒体処理部３４３、保守モード実行部３４４等を備える。
【００３４】
処理モード切替部３４１は、例えば、自動改札機２００として通常の入出場管理を行う通常モードと、自動改札機２００の保守に関する処理を行う保守モードとを切り替える。
【００３５】
図６は、実施形態の処理モード切替部３４１の処理内容の一例を示すフローチャートである。まず、処理モード切替部３４１は、画像処理部３３０から処理モード指示情報を取得するまで待機する（ステップＳ１００）。ここで、上述したダミー券の画像が読み取られると、処理モード切替部３４１は、読み取った画像に含まれる処理モード指示情報に対応する処理モードと、自動改札機２００の現在の処理モードとが異なっているか否かを判定する（ステップＳ１０２）。
【００３６】
処理モードが異なっている場合、処理モード切替部３４１は、現在の処理モードをダミー券の画像から取得した処理モードに切り替える（ステップＳ１０４）。これにより、自動改札機２００は、処理モード切替部３４１によって切り替えられた処理モードに対応する処理が実行される。なお、処理モード指示情報に対応する処理モードが現在の処理モードと同一である場合、処理モード切替部３４１は、処理モードの切り替えを行わない。これにより、本フローチャートの処理を終了する。
【００３７】
ここで、処理モード切替部３４１により切り替えられる各処理モードの内容について説明する。図７は、処理モード一覧の一例を示す図である。図７の例では、処理モード指示情報と処理モードの内容とが対応付けられている。例えば、処理モード指示情報が「０１」の場合、自動改札機２００は、入出場管理モードとして、上述した媒体（乗車券１００またはダミー券）から読み取った情報に基づいて、利用者の駅構内への入場または駅構外への出場を管理する処理を行う。なお、入出場管理モードは、上述した通常モードに相当する。
【００３８】
また、処理モード指示情報が「０２」の場合、自動改札機２００は、異常時判定許可モードとして、媒体からの情報が正常に読み取れなかった場合における利用者の駅構内への入場または駅構外への出場を管理する処理を行う。また、処理モード指示情報が「０３」の場合、自動改札機２００は、第１の保守モードとして、媒体から読み取った情報を表示部２２０に表示する処理（読取情報表示処理）を行う。処理モード指示情報が「０４」の場合、自動改札機２００は、第２の保守モードとして、無線通信により媒体から情報を読み取った場合に、所定の音声を音声出力部２３０から出力する処理（ＲＦＩＤ読み取り処理）を行う。また、処理モード指示情報が「０５」の場合、自動改札機２００は、第３の保守モードとして、無線通信により、媒体に情報を書き込んだ場合に、所定の音声を音声出力部２３０から出力する処理（ＲＦＩＤ書き込み処理）を行う。以下に、上述した各処理モードにおける具体的な処理内容について説明する。
【００３９】
（１）入出場管理モードについて説明する。
入出場管理モードの場合、照合部３４２は、媒体から取得されるチップ側乗車券ＩＤと、コード側乗車券ＩＤとを比較し、媒体が正当なものであるか否かを判定する。ここで、媒体が正当なものであると判定されるためには、チップ側乗車券ＩＤとコード側乗車券ＩＤとの関係において、例えば、（ａ）両者が完全一致すること、（ｂ）両者が部分一致すること、（ｃ）一方または双方を所定のアルゴリズムで演算処理または復号処理すると、他方と完全一致または部分一致すること、（ｄ）一方または双方を鍵として暗号処理すると、他方と完全一致または部分一致すること等、一方に基づいて他方の正当性を検証可能とするための種々の条件を満たせばよい。
【００４０】
照合部３４２は、チップ側乗車券ＩＤとコード側乗車券ＩＤとが上述した（ａ）〜（ｄ）のいずれか１つの条件を満たし、媒体が正当なものと判定した場合に、媒体処理部３４３における処理を実行させる。また、照合部３４２は、媒体が正当なものでない場合には、扉部２４０を閉止状態に制御して利用者の通行を禁止する。
【００４１】
媒体処理部３４３は、媒体の二次元コード１１５から読み取った効力情報およびチップ１２０から読み取った利用記録等に基づいて、媒体が、入場条件または出場条件を満たす有効な媒体であるか否かを判定する。例えば、媒体処理部３４３は、利用記録に含まれる入場駅および入場日時等の情報が効力情報の範囲内である場合には、有効な媒体であると判定し、扉部２４０を開放状態に制御して利用者を通過させる。また、媒体処理部３４３は、利用記録に含まれる入場駅および入場日時等の情報が効力情報の範囲内にない場合に、有効な媒体ではないと判定し、扉部２４０を閉止状態に制御して利用者の通行を禁止する。
【００４２】
（２）異常時判定許可モードについて説明する。
異常時判定許可モードの場合、媒体処理部３４３は、媒体の二次元コード１１５から読み取った情報に基づいて効力情報の有効性を判定する処理（特定処理）を実施する。例えば、媒体処理部３４３は、入場または出場する駅や日時が効力情報の範囲内である場合に、有効な媒体であると判定し、扉部２４０を開放状態に制御して利用者を通過させる。また、媒体処理部３４３は、入場または出場する駅や日時が効力情報の範囲内にない場合に、有効な媒体ではないと判定し、扉部２４０を閉止状態に制御して利用者の通行を禁止する。
【００４３】
（３）第１の保守モードについて説明する。
図８は、第１の保守モードにおける実行処理の一例を示すフローチャートである。第１の保守モードにおいて、保守モード実行部３４４は、媒体の情報が読み取り可能になるように、リーダライタユニット２１０をアクティブ状態にする（ステップＳ２００）。次に、保守モード実行部３４４は、リーダライタユニット２１０により光学的に読み取られた媒体の画像から得られる情報を取得する（ステップＳ２０２）。画像から得られる情報とは、例えば、媒体の二次元コード１１５にエンコードされた効力情報である。
【００４４】
次に、保守モード実行部３４４は、リーダライタユニット２１０により無線通信によって、媒体のチップ１２０から得られる情報を取得する（ステップＳ２０４）。チップ１２０から得られる情報とは、例えば、チップ１２０の記憶部１２３に記録された利用記録である。
【００４５】
次に、保守モード実行部３４４は、光学的に読み取られた媒体の画像から取得した情報および媒体のチップ１２０から取得した情報を表示部２２０に表示させる（ステップＳ２０６）。例えば、保守モード実行部３４４は、表示部２２０に効力情報および利用記録を表示させる。これにより、本フローチャートの処理を終了する。なお、図８の処理は、例えば処理モードが切り替わるまで、繰り返し実行されてよい。また、保守モード実行部３４４は、少なくともチップ１２０から得られる情報を、表示部２２０に表示させればよく、その場合には、ステップＳ２０２の処理を行わない。
【００４６】
上述した処理により、保守作業者等は、媒体の二次元コード１１５の情報やチップ１２０に記録された情報を表示部２２０で確認することができる。また、上述の処理により、保守作業者は、リーダライタユニット２１０における処理や制御部３００のデコード部３１０、エンコード部３２０、画像処理部３３０における処理が正常に行われているか否か（例えば、故障や劣化等による交換が必要か否か）等の判定を容易に行うことができる。
【００４７】
（４）第２の保守モードについて説明する。
図９は、第２の保守モードにおける実行処理の一例を示すフローチャートである。第２の保守モードにおいて、保守モード実行部３４４は、媒体の情報が読み取り可能になるように、リーダライタユニット２１０をアクティブ状態にする（ステップＳ３００）。次に、保守モード実行部３４４は、リーダライタユニット２１０により媒体のチップ１２０から情報を読み取る命令を含む電波を所定間隔で送信させる（ステップＳ３０２）。
【００４８】
次に、保守モード実行部３４４は、上記の情報を読み取る命令に対する応答として、媒体のチップ１２０から情報を読み取れたか否かを判定する（ステップＳ３０４）。媒体のチップ１２０から情報を読み取れた場合、保守モード実行部３４４は、情報が読み取れたことを示す所定の音声を音声出力部２３０から出力させる（ステップＳ３０６）。これにより、本フローチャートの処理を終了する。なお、図９の処理は、例えば処理モードが切り替わるまで、繰り返し実行されてよい。また、ステップＳ３０４の処理において、電波の送信を開始してから所定時間が経過しても媒体のチップから情報を読み取れなかった場合、保守モード実行部３４４は、本フローチャートの処理を終了してもよい。
【００４９】
上述した第２の保守モードにおける処理により、保守作業者は、媒体を動かしながら、リーダライタユニット２１０により送信される媒体のチップ１２０から情報を読み込む命令を含む電波の通信可能範囲を、音声出力部２３０からの音声の有無によって容易に確認することができる。
【００５０】
図１０は、保守作業者による通信可能範囲の確認作業の一例を説明するための図である。自動改札機２００の処理モードが、第２の保守モードである場合、保守作業員は、媒体（例えば、乗車券１００）を動かしながら、リーダライタユニット２１０の表面から媒体までの距離ｄ以内で、且つリーダライタユニット２１０の表面に垂直な軸に対する角度θ以内の空間が、基準の通信可能範囲に一致しているか否かを確認する。
【００５１】
例えば、保守作業者は、音声出力部２３０により音声が出力される距離ｄおよび角度θの範囲を取得することで、上述の確認作業を行うことができる。また、距離ｄおよび角度θの計測は、例えば定規および分度器等の計測機器を用いて計測してもよく、距離ｄや角度θが分かる専用の治具等を用いて計測してもよい。
【００５２】
ここで、リーダライタユニット２１０から送信される電波は、その通信可能範囲が約１０［ｃｍ］程度以下になるように、アンテナ２１１の出力が設定されてよい。これによって、リーダライタユニット２１０と、乗車券１００以外のＲＦＩＤタグ等との間で通信が成立するのを抑制することができる。また、ＵＨＦ帯を利用した通常の通信では、数［ｍ］程度の通信が可能であるが、実施形態のリーダライタユニット２１０では、自動改札機２００における使用態様（利用者が乗車券１００をリーダライタユニット２１０に翳す、或いはタッチする）に合わせた通信可能範囲とする必要がある。これによって、本来の用途である、自動改札機２００の入出場管理に用いられる情報以外の情報がリーダライタユニット２１０に混入することを抑制することができ、自動改札機２００におけるスムーズな入出場管理を実現することができる。
【００５３】
（５）第３の保守モードについて説明する。
図１１は、第３の保守モードにおける実行処理の一例を示すフローチャートである。第３の保守モードにおいて、保守モード実行部３４４は、媒体への情報の書き込みが可能になるように、リーダライタユニット２１０をアクティブ状態にする（ステップＳ４００）。次に、保守モード実行部３４４は、リーダライタユニット２１０により媒体のチップ１２０に情報を書き込む命令を含む電波を所定間隔で送信させる（ステップＳ４０２）。
【００５４】
次に、保守モード実行部３４４は、上記の情報を書き込む命令に対する応答として、媒体のチップ１２０から、情報が書き込まれたことを示す書き込み完了情報を受信したか否かを判定する（ステップＳ４０４）。媒体のチップ１２０から書き込み完了情報を受信した場合、保守モード実行部３４４は、書き込みが完了したことを示す所定の音声を音声出力部２３０から出力させる（ステップＳ４０６）。これにより、本フローチャートの処理を終了する。なお、図１１の処理は、例えば処理モードが切り替わるまで、繰り返し実行されてよい。また、ステップＳ４０４の処理において、電波の送信を開始してから所定時間が経過しても媒体のチップから情報を読み取れなかった場合、保守モード実行部３４４は、本フローチャートの処理を終了してもよい。
【００５５】
上述した第３の保守モードにおける処理により、保守作業者は、上述した図１０で示すように、媒体（例えば、乗車券１００）を動かしながら、リーダライタユニット２１０の表面から媒体までの距離ｄ以内で、且つリーダライタユニット２１０の表面に垂直な軸に対する角度θ以内の空間が、基準の通信可能範囲に一致しているか否かを確認する。
【００５６】
なお、上述した第２の保守モードおよび第３の保守モードを用いた自動改札機２００の保守作業において、取得した境界部分が基準となる通信可能範囲でない場合、保守作業員は、自動改札機２００内に設けられた電波強度や電波範囲の調整機構（図示せず）を用いて基準の通信可能範囲になるように調整してよい。
【００５７】
なお、処理モード指示情報の種類や内容については、これに限定されるものではない。例えば、駅務機器の一例である精算機に対する個別の保守モードを設定してもよい。また、実施形態では、画像処理部３３０により媒体の画像から得られた情報に、処理モード指示情報が含まれていない場合があってもよい。この場合、例えば、処理モード切替部３４１は、画像処理部３３０により媒体の画像から得られた情報に処理モード指示情報が含まれているか否かを判定する。そして、指示情報が含まれていないと判定された場合、処理部３４０は、通常モードに対応する入出場管理処理を行う。また、処理モード切替部３４１は、操作受付部３５０により受け付けられた保守作業者等による操作内容に基づいて、処理モードの切り替えを行ってもよい。
【００５８】
操作受付部３５０は、上述した処理モードを切り替えるための保守作業者等による操作内容を受け付ける。操作受付部３５０は、例えば、処理モードの切り替えが可能なスイッチやボタンでもよく、タッチパネル等でもよい。
【００５９】
［精算機］
図１２は、実施形態の精算機４００の外観構成図である。精算機４００は、例えば、リーダライタユニット４０２、紙幣投入口４０４、硬貨投入口４０６、釣銭排出口４０８、表示部４１０、音声出力部４１２等を備える。
【００６０】
リーダライタユニット４０２は、媒体（乗車券１００またはダミー券）を翳すことで、媒体の画像を読み取るとともに、無線通信により、媒体のチップ１２０から情報を受信する。リーダライタユニット４０２の構成は、上述した自動改札機２００におけるリーダライタユニット２１０と同様であるため、ここでの具体的な説明は省略する。なお、精算機４００におけるリーダライタユニット４０２の形状は、例えば、トレー等のように、媒体をリーダライタユニット４０２上に載置しやすい形状でもよい。
【００６１】
また、紙幣投入口４０４には、例えば、媒体から得られた情報から、自動改札機２００を通過するために必要な金額の不足分を精算するための紙幣が投入される。また、硬貨投入口４０６には、自動改札機２００を通過するために必要な金額の不足分を精算するための硬貨が投入される。釣銭排出口４０８からは、釣銭のうち硬貨が排出される。なお、釣銭のうち紙幣は、紙幣投入口４０４から排出される。
【００６２】
表示部４１０は、例えば、ＬＣＤや有機ＥＬ表示装置等の表示装置に、図示しない接触検知機構が重畳して設けられたタッチパネル式表示装置である。表示部４１０は、精算機４００の処理モードに対応する各種画像を表示するとともに、利用者による入力操作を受け付ける操作受付部として機能する。なお、これに代えて（或いは加えて）、精算機４００は、操作用の機械式キーを備えてもよい。音声出力部４１２は、例えば、スピーカである。音声出力部４１２は、処理モードに対する音声情報を出力する。
【００６３】
図１３は、実施形態の精算機４００の機能構成図である。精算機４００は、例えば、リーダライタユニット４０２、制御部５００、表示部４１０、音声出力部４１２等を備える。また、制御部５００は、例えば、デコード部５１０、エンコード部５２０、画像処理部５３０、処理部５４０等を備える。これらの機能部は、例えばＣＰＵ等のプロセッサがプログラムメモリに格納されたプログラムを実行することにより機能するソフトウェア機能部である。また、これらの機能部のうち一部または全部は、ＬＳＩやＡＳＩＣ等のハードウェア機能部であってもよい。また、デコード部５１０およびエンコード部５２０と、画像処理部５３０とのうち一方または双方は、リーダライタユニット４０２の内蔵コンピュータにより実現される機能であってもよい。
【００６４】
デコード部５１０、エンコード部５２０、および画像処理部５３０は、それぞれ、上述した自動改札機２００におけるデコード部３１０、エンコード部３２０、および画像処理部３３０と同様の処理を行うため、ここでの具体的な説明は省略する。
【００６５】
処理部５４０は、例えば、処理モード切替部５４１、精算処理部５４２、保守モード実行部５４３等を備える。
【００６６】
処理モード切替部５４１は、精算機４００の処理モードを、画像処理部５３０により得られる処理モード指示情報に対応する処理モードに切り替える。なお、処理モード切替部５４１は、タッチパネル式表示装置である表示部４１０により受け付けられた保守作業者等による操作内容に基づいて、処理モードの切り替えを行ってもよい。
【００６７】
精算処理部５４２は、処理モード切替部５４１により切り替えられた処理モードが、通常の精算処理に対応する処理モード（通常モード）である場合に、媒体から取得されるチップ側乗車券ＩＤと、コード側乗車券ＩＤとを比較し、乗車券１００が正当なものであるか否かを判定する。また、精算処理部５４２は、例えば、自動改札機２００から出場する駅が、媒体から得られた利用可能な区間または運賃上限を超える場合に、不足金額を表示部４１０に出力させたり、不足金額に関する音声を音声出力部４１２から出力させる。
【００６８】
また、精算処理部５４２は、上述した紙幣投入口４０４または硬貨投入口４０６から投入された紙幣や硬貨の金額を算出し、算出した金額が不足分の金額以上である場合に、自動改札機２００の通過を許可するための情報を、エンコード部５２０に出力する。この場合、エンコード部５２０は、処理部５４０から得られる情報をエンコードし、エンコードされた情報をリーダライタユニット４０２により媒体のチップ１２０に書き込ませる。また、精算処理部５４２は、釣銭が存在する場合に、釣銭排出口４０８から釣銭を排出させる。
【００６９】
保守モード実行部５４３は、処理モード切替部５４１により切り替えられた処理モードが、上述した第１〜第３の保守モードである場合に、精算機４００に対して、上述した自動改札機２００の保守モード実行部３４４で実行された処理と同様の処理が実行される。
【００７０】
以上説明した少なくとも一つの実施形態によれば、チップ１２０およびアンテナ１３０を有する媒体に表示された画像から情報を光学的に読み取るカメラ２１３と、チップ１２０およびアンテナ１３０と無線通信を行って、媒体から情報を読み取るアンテナ２１１および通信制御部２１２と、カメラ２１３により読み取られた情報に基づいて処理モードを切り替えて、アンテナ２１１および通信制御部２１２により読み取られた情報に対する処理を行う処理部３４０（５４０）とを持つことにより、駅務機器における処理モードの切り替えを効率的に行うことができる。また、切り替えられた処理モードにおける保守作業等を効率的に行うことができる。
【００７１】
上記説明した実施形態は、以下のように表現することができる。
媒体側無線通信部を有する媒体に表示された画像から、前記画像を撮像し且つ撮像画像に対してデコード処理を行うことで、情報を光学的に読み取る光学読取部と、
アンテナを有し、前記アンテナにより前記媒体側無線通信部と無線通信を行って、前記媒体の記憶部に記憶された情報を読み取る機器側無線通信部と、
前記光学読取部により読み取られた画像にエンコードされた処理モード指示情報に基づいて処理モードを切り替えて、前記機器側無線通信部により読み取られた情報に対する処理を行う処理部と、
を備える駅務機器。
【００７２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７３】
１００…乗車券、１２０…チップ、１３０、２１１…アンテナ、２００…自動改札機、２１０、４０２…リーダライタユニット、２１２…通信制御部、２１３…カメラ、２１４…ライト、２２０，４１０…表示部、２３０、４１２…音声出力部、３００、５００…制御部、３１０、５１０…デコード部、３２０、５２０…エンコード部、３３０、５３０…画像処理部、３４０、５４０…処理部、４００…精算機
【図１】
2018045552.tif 000003
【図２】
2018045552.tif 000004
【図３】
2018045552.tif 000005
【図４】
2018045552.tif 000006
【図５】
2018045552.tif 000007
【図６】
2018045552.tif 000008
【図７】
2018045552.tif 000009
【図８】
2018045552.tif 000010
【図９】
2018045552.tif 000011
【図１０】
2018045552.tif 000012
【図１１】
2018045552.tif 000013
【図１２】
2018045552.tif 000014
【図１３】
2018045552.tif 000015